(57)【要約】【課題】  照明取付用フレームを多目的ホールに利用して、上記照明取付用フレームに取り付けた照明器具で間口を照らす場合であっても、間口の明るさを容易に確保できる間口照明移動装置、及び間口照明移動装置を備えた間口調整装置を提供する。【解決手段】  間口照明移動装置であるトーメンタルタワー装置Ａが、舞台１の袖に設置されて照明器具Ｌを取り付け可能なトーメンタルタワー２と、トーメンタルタワー２を舞台１の間口方向へ移動させる駆動装置５とを備える。【選択図】  図２
2018078088.tif 000002
【特許請求の範囲】
【請求項１】
舞台の袖に設置されて照明器具を取り付け可能な照明取付用フレームと、
前記照明取付用フレームを前記舞台の間口方向へ移動させる駆動装置とを備えた
ことを特徴とする間口照明移動装置。
【請求項２】
前記舞台と前記照明取付用フレームとの間にリニアガイドが設けられている
ことを特徴とする請求項１に記載の間口照明移動装置。
【請求項３】
前記舞台の間口の幅を制限する壁部に前記間口方向に沿って取り付けられたレールと、
前記照明取付用フレームの上部に取り付けられて前記レールを前記舞台の奥行方向の両側から挟む一組のローラとを備えた
ことを特徴とする請求項１又は２に記載の間口照明移動装置。
【請求項４】
前記駆動装置は、前記舞台に前記間口方向に沿って取り付けられたラックと、前記ラックに噛合するピニオンと、前記ピニオンを回転するハンドルとを有して構成されている
ことを特徴とする請求項１から３の何れか一項に記載の間口照明移動装置。
【請求項５】
前記ハンドルと前記ピニオンとの間に減速機が設けられており、
前記減速機は、前記ハンドルの回転を減速し、前記ハンドルの回転方向を切換えて前記ピニオンへ伝達する
ことを特徴とする請求項４に記載の間口照明移動装置。
【請求項６】
前記減速機は、セルフロック機能を有し、前記ピニオン側からのトルク入力に対する前記ハンドルの回転を阻止する
ことを特徴とする請求項５に記載の間口照明移動装置。
【請求項７】
前記照明取付用フレームの舞台奥側面を覆う見切幕を備え、
前記見切幕の一部が開閉可能とされている
ことを特徴とする請求項１から６の何れか一項に記載の間口照明移動装置。
【請求項８】
前記照明取付用フレームを前記間口方向へ移動可能にする走行装置を備え、
前記照明取付用フレームは、前記走行装置に吊り下げられた状態で設置されている
ことを特徴とする請求項１に記載の間口照明移動装置。
【請求項９】
前記走行装置は、前記舞台の間口を形成するための開口が形成された壁部に固定されたレールと、
前記レールを走行する一以上のトロリとを有する
ことを特徴とする請求項８に記載の間口照明移動装置。
【請求項１０】
少なくとも一つの前記トロリは、前記駆動装置により駆動される駆動輪を有し、
前記駆動装置は、ハンドホイールと、前記ハンドホイールの回転を減速して前記駆動輪に伝達する減速機と、前記ハンドホイールに巻掛けられたハンドチェーンとを有する
ことを特徴とする請求項９に記載の間口照明移動装置。
【請求項１１】
前記照明取付用フレームの下端に取り付けられたガイドシューと、
前記間口方向に沿って配置されて前記ガイドシューを摺動自在に挟み、前記ガイドシューの前記間口方向への移動を許容するガイドレールとを備える
ことを特徴とする請求項８から１０の何れか一項に記載の間口照明移動装置。
【請求項１２】
前記照明取付用フレームと、前記照明取付用フレームの舞台手前側面を覆うサイドパネルとを有して前記舞台の間口の幅を制限可能なプロセニアムウイングが構成されており、
前記間口の幅を変更するプロセニアムウイング移動装置として機能する
ことを特徴とする請求項８から１１の何れか一項に記載の間口照明移動装置。
【請求項１３】
請求項１２に記載の間口照明移動装置と、
前記間口の高さを変更するプロセニアム桁部昇降装置とを備えた間口調整装置であって、
前記プロセニアム桁部昇降装置は、前記間口の高さを制限可能なプロセニアム桁部を有し、
前記プロセニアム桁部には、前記プロセニアムウイングの進入を許容する収納部が形成されている
ことを特徴とする間口調整装置。
【請求項１４】
前記プロセニアム桁部の下端部には、前記プロセニアム桁部に対して前記間口方向へスライドし、前記収納部の下端開口を開閉するスライドパネルが取り付けられており、
前記スライドパネルは、前記収納部の下端開口を閉じる方向へ附勢されている
ことを特徴とする請求項１３に記載の間口調整装置。
【発明の詳細な説明】
【技術分野】
【０００１】
本発明は、間口照明移動装置、及び間口照明移動装置を備えた間口調整装置に関する。
【背景技術】
【０００２】
旧来、演劇と演奏会は、それぞれ専用のホールなどで行われていたが、近年では、多目的ホール、多機能ホール、多用途ホール等と称される演劇にも演奏会にも適したホール（以下、多目的ホールという）でその両方が行われることが増えている。
【０００３】
一般的に、このような多目的ホールには、音響反射板と称される良好な音響反射効果を得るための可動壁が設けられている。図１２に示すように、当該音響反射板Ｂは、天井反射板ｂ１、正面反射板ｂ２、一対の側面反射板ｂ３，ｂ４を有して構成される。
【０００４】
そして、演奏会が催される場合には、中心線Ｘの左側に示すように、音響反射板Ｂは舞台１Ａ上に設置され、客席側を除いて演奏者を囲うように配置される。その一方、演劇が催される場合には、中心線Ｘの右側に示すように、天井反射板ｂ１と正面反射板ｂ２が舞台奥上方に格納され、一対の側面反射板ｂ３，ｂ４が舞台１Ａの上手側と下手側の袖Ｓ１，Ｓ２にそれぞれ格納される（例えば、特許文献１）。
【０００５】
また、舞台１Ａの袖Ｓ１，Ｓ２には、トーメンタルタワー等と称されるフレーム材、単管パイプ等を櫓状に組み立てた構造物が固定的に設置されており、このようなフレーム９に照明器具を取り付けて、演劇の上演時に舞台１Ａの間口Ｆを照らせるようになっている（例えば、非特許文献１）。
【先行技術文献】
【特許文献】
【０００６】
【特許文献１】特開２００５−２１５８９号公報
【非特許文献】
【０００７】
【非特許文献１】“舞台断面図”，［online］，２０１３年１２月２日，ふくやま芸術文化ホールリーデンローズ，［２０１６年１０月４日検索］，インターネット＜ＵＲＬ：http://www.city.fukuyama.hiroshima.jp/uploaded/attachment/8972.pdf＞
【発明の概要】
【発明が解決しようとする課題】
【０００８】
舞台１Ａの間口Ｆを照明器具（光源）で明るくする上では照明取付用のフレーム９をなるべく舞台１Ａの袖Ｓ１，Ｓ２における間口Ｆに近い位置に設けるのが好ましい。しかし、良好な音響反射効果を得るためには音響反射板Ｂも間口Ｆに近づけて配置するのが好ましく、当該音響反射板Ｂ等の他の舞台装置との関係から、間口Ｆ近くの最適な位置に照明取付用のフレーム９を配置できないことがある。
【０００９】
例えば、音響反射板Ｂの使用時には、上手側と下手側の側面反射板ｂ３，ｂ４が舞台１Ａ上に起立した状態で奥行き方向へ斜めに延びており、間口Ｆに接近するに従って先端が離間するように配置される。このため、音響反射板Ｂを間口Ｆに近づけて設置すると、側面反射板ｂ３，ｂ４の先端が間口Ｆと袖Ｓ１，Ｓ２に接近する。
【００１０】
また、音響反射板Ｂの格納時には、側面反射板ｂ３，ｂ４が奥行き方向へ向けて略真直ぐになった状態でそれぞれ舞台１Ａの袖Ｓ１，Ｓ２に収容される。よって、図１２に示すように、照明取付用のフレーム９が袖Ｓ１，Ｓ２の間口付近にあると、側面反射板ｂ３，ｂ４の出し入れの邪魔になることがある。
【００１１】
そうかといって、音響反射板Ｂ等の他の舞台装置の移動をしやすくしたり干渉を避けたりするため、照明取付用のフレーム９を間口Ｆから離した位置に配置したのでは、光源が間口Ｆから離れるので間口Ｆの明るさ（照度）が不足してしまう。
【００１２】
つまり、多目的ホールにおいて、従来の固定式のフレーム９に間口Ｆの明り取りをするための照明器具を取り付けた場合には、音響反射板等の他の舞台装置との関係から、間口の明るさを確保するのが難しい。そこで、本発明は、照明取付用フレームを多目的ホールに利用して、照明取付用フレームに取り付けた照明器具で間口を照らす場合であっても、間口の明るさを容易に確保できる間口照明移動装置、及び間口照明移動装置を備えた間口調整装置の提供を目的とする。
【課題を解決するための手段】
【００１３】
前記課題を解決する間口照明移動装置は、照明取付用フレームを舞台の間口方向へ移動させる駆動装置を備えることを特徴とする。当該構成によれば、音響反射板等の他の舞台装置を移動する際、当該移動の妨げにならない位置に照明取付用フレームを設置できる。加えて、照明取付用フレームに取り付けた照明器具を使用する場合には、照明取付用フレームを間口に近づけて設置できる。
【００１４】
また、前記間口照明移動装置では、前記舞台と前記照明取付用フレームとの間にリニアガイドが設けられているとよい。当該構成によれば、照明取付用フレームを間口方向へ容易に移動できる。
【００１５】
また、前記間口照明移動装置は、前記舞台の間口の幅を制限する壁部に前記間口方向に沿って取り付けられたレールと、前記照明取付用フレームの上部に取り付けられて前記レールを前記舞台の奥行方向の両側から挟む一組のローラとを備えるとよい。当該構成によれば、照明取付用フレームの重量を舞台で受けるようにしても、照明取付用フレームの倒れを防止できる。
【００１６】
また、前記間口照明移動装置では、前記駆動装置が、前記舞台に前記間口方向に沿って取り付けられたラックと、前記ラックに噛合するピニオンと、前記ピニオンを回転するハンドルとを有して構成されているとよい。当該構成によれば、手動で照明取付用フレームを駆動できるので、間口照明移動装置を安価にできる。
【００１７】
また、前記間口照明移動装置では、前記ハンドルと前記ピニオンとの間に減速機が設けられており、前記減速機が前記ハンドルの回転を減速し、前記ハンドルの回転方向を切換えて前記ピニオンへ伝達するとよい。当該構成によれば、ハンドル操作を軽くでき、手動で照明取付用フレームを駆動する場合であっても作業負荷を軽減できる。加えて、ハンドルの向きを操作し易い向きにできるので、操作性を良好にできる。
【００１８】
また、前記間口照明移動装置では、前記減速機がセルフロック機能を有し、前記ピニオン側からのトルク入力に対する前記ハンドルの回転を阻止するとよい。当該構成によれば、ハンドルを操作しなければ照明取付用フレームを停止した状態に維持できる。よって、照明取付用フレームを停止した状態に維持するための装置を別途設ける必要がなく、間口照明移動装置の構造を簡易にして安価にできる。
【００１９】
また、前記間口照明移動装置は、前記照明取付用フレームの舞台奥側面を覆う見切幕を備え、前記見切幕の一部が開閉可能とされているとよい。当該構成によれば、見切幕の開閉部からハンドル操作をできる。つまり、見切幕がハンドル操作の邪魔にならず、ハンドル操作時に見切幕を全て取り外す必要がないので、利便性が良好である。
【００２０】
また、前記間口照明移動装置は、前記照明取付用フレームを前記間口方向へ移動可能にする走行装置を備え、前記照明取付用フレームが前記走行装置に吊り下げられた状態で設置されていてもよい。当該構成によれば、照明取付用フレームを吊り下げた状態で間口方向へ移動できる。
【００２１】
また、前記間口照明移動装置では、前記走行装置が、前記舞台の間口を形成するための開口が形成された壁部に固定されたレールと、前記レールを走行する一以上のトロリとを有するとよい。当該構成によれば、照明取付用フレームを吊り下げた状態で間口方向へ移動させるのが容易である。
【００２２】
また、前記間口照明移動装置では、少なくとも一つの前記トロリが、前記駆動装置により駆動される駆動輪を有し、前記駆動装置が、ハンドホイールと、前記ハンドホイールの回転を減速して前記駆動輪に伝達する減速機と、前記ハンドホイールに巻掛けられたハンドチェーンとを有するとよい。当該構成によれば、ハンドホイールの回転操作を軽くして作業負荷を軽減できるとともに、照明取付用フレームの傾きを抑制できる。
【００２３】
また、前記間口照明移動装置が、前記照明取付用フレームの下端に取り付けられたガイドシューと、前記間口方向に沿って配置されて前記ガイドシューを摺動自在に挟み、前記ガイドシューの前記間口方向への移動を許容するガイドレールとを備えるとよい。当該構成によれば、照明取付用フレームを吊り下げた状態で移動する場合であっても、照明取付用フレームの下部が舞台の奥行方向へ振れるのを防止できる。
【００２４】
また、前記間口照明移動装置では、前記照明取付用フレームと、前記照明取付用フレームの舞台手前側面を覆うサイドパネルとを有して前記舞台の間口の幅を制限可能なプロセニアムウイングが構成されており、前記間口照明移動装置が前記間口の幅を変更するプロセニアムウイング移動装置として機能するとよい。当該構成によれば、舞台の間口の幅を演目に合せて変更できるので、多目的ホールをより多くのニーズに対応させられる。
【００２５】
また、間口調整装置がプロセニアムウイング移動装置としても機能する前記間口照明移動装置と、前記間口の高さを変更するプロセニアム桁部昇降装置とを備えて構成されていて、前記プロセニアム桁部昇降装置が、前記間口の高さを制限可能なプロセニアム桁部を有するとともに、前記プロセニアム桁部に前記プロセニアムウイングの進入を許容する収納部が形成されているとよい。当該構成によれば、間口調整装置が舞台奥行方向に嵩張るのを防止できるとともに、プロセニアム桁部とプロセニアムウイングの一体感が向上する。
【００２６】
また、前記間口調整装置では、前記プロセニアム桁部の下端部に前記プロセニアム桁部に対して前記間口方向へスライドし、前記収納部の下端開口を開閉するスライドパネルが取り付けられており、前記スライドパネルが前記収納部の下端開口を閉じる方向へ附勢されているとよい。当該構成によれば、プロセニアムウイングが収納部から退出するのに伴い、収納部の下端開口をスライドパネルで自動的に閉じられる。
【発明の効果】
【００２７】
本発明の間口照明移動装置及び間口調整装置によれば、照明取付用フレームを多目的ホールに利用して、照明取付用フレームに取り付けた照明器具で間口を照らす場合であっても、間口の明るさを容易に確保できる。
【図面の簡単な説明】
【００２８】
【図１】本発明の第一の実施の形態に係る間口照明移動装置であるトーメンタルタワー装置の取付状態を簡略化して示した平面図である。
【図２】本発明の第一の実施の形態に係る間口照明移動装置であるトーメンタルタワー装置を部分的に切欠いて示した正面図である。
【図３】本発明の第一の実施の形態に係る間口照明移動装置であるトーメンタルタワー装置を部分的に切欠いて示した側面図である。
【図４】本発明の第一の実施の形態に係る間口照明移動装置であるトーメンタルタワー装置のトーメンタルタワー部分を示した斜視図である。（ａ）は、着脱幕をトーメンタルタワーに装着した状態を示し、（ｂ）は、着脱幕をトーメンタルタワーから外した状態を示す。
【図５】図２のトーメンタルタワー装置の下部を部分的に切欠いて示した拡大図である。
【図６】図３のトーメンタルタワー装置の下部を部分的に切欠いて示した拡大図である。
【図７】本発明の第一の実施の形態に係る間口照明移動装置であるトーメンタルタワー装置の駆動装置部分を示した拡大斜視図である。
【図８】図３のトーメンタルタワー装置の上部を部分的に切欠いて示した拡大図である。
【図９】（ａ）は、本発明の第二の実施の形態に係る間口照明移動装置であるプロセニアムウイング移動装置の使用状態を簡略化して示した平面図である。（ｂ）は、（ａ）を客席側から見た正面図である。
【図１０】本発明の第二の実施の形態に係る間口照明移動装置であるプロセニアムウイング移動装置を示し、当該プロセニアムウイング移動装置を舞台奥側から見た正面図である。
【図１１】本発明の第二の実施の形態に係る間口照明移動装置であるプロセニアムウイング移動装置を示した側面図である。
【図１２】従来の間口を照らす照明器具を取り付けたフレームの取付状態を簡略化して示した平面図である。
【発明を実施するための形態】
【００２９】
以下に本発明の実施の形態について、図面を参照しながら説明する。いくつかの図面を通して付された同じ符号は、同じ部品か対応する部品を示す。
【００３０】
＜第一の実施の形態＞
図１に示すように、本発明の第一の実施の形態に係る間口照明移動装置は、トーメンタルタワー装置Ａであり、当該トーメンタルタワー装置Ａは、多目的ホールに利用され、舞台１の上手側と下手側の袖Ｓ１，Ｓ２にそれぞれ設けられている。
【００３１】
図示を省略するが、舞台１上にできる空間であって、演出の施される観客に見せるための空間を演出空間Ｐとすると、当該演出空間Ｐよりも高い位置に簀子が設けられており、当該簀子に吊り物が吊り下げられている。吊り物としては、例えば、音響反射板Ｂ、地明かりを作るための照明装置（図示せず）、幕類（図示せず）等があり、演出空間Ｐに演目に合せた演出を施せるようになっている。
【００３２】
客席の並ぶエリアを客席エリアＧとすると、演出空間Ｐと客席エリアＧとの境界、即ち、演出空間Ｐにおける客席側の開口が舞台１の間口Ｆであり、客席から見た手前奥方向（図１中上下）が舞台１の奥行方向、客席から見た左右（図１中左右）が舞台１の間口方向である。以下の説明では、舞台１の奥行方向及び間口方向を単に「奥行方向」「間口方向」ということがある。
【００３３】
また、舞台１上にできる空間であって、上手側と下手側にできる客席から見えない部分が舞台１の袖Ｓ１，Ｓ２であり、当該袖Ｓ１，Ｓ２は、間口Ｆの横幅を制限する固定壁Ｗにより客席エリアＧと仕切られている。そして、上記トーメンタルタワー装置Ａは、固定壁Ｗの裏側であって、間口Ｆに近い位置に設けられている。説明の便宜上、両袖Ｓ１，Ｓ２における間口方向の一方側であって間口Ｆに近い側をそれぞれ舞台側、反対側の間口Ｆから離れた側をそれぞれ袖側とする。
【００３４】
トーメンタルタワー装置Ａは、図２，３に示すように、照明器具Ｌが取り付けられる照明取付用フレームであるトーメンタルタワー２と、トーメンタルタワー２を間口方向へ移動可能にする走行装置３と、トーメンタルタワー２を間口方向へ駆動する駆動装置５と、トーメンタルタワー２の倒れを防止する倒れ防止装置４とを備える。
【００３５】
トーメンタルタワー２は、フレーム材、単管パイプ等を組み立てて形成される櫓状の構造物である。より詳しくは、トーメンタルタワー２は、複数の支柱２０ａと、これら支柱２０ａを連結する複数の横架材２０ｂとを略四角柱状に組み立てて形成された本体部２０と、本体部２０の内側であって固定壁Ｗ側の横架材２０ｂに固定され、袖側に寄せて設けた梯子２１とを有する。そして、本体部２０の舞台側部分に複数の照明器具Ｌが上下に並べて取り付けられる。
【００３６】
また、図示しないが本体部２０の舞台側部分には、複数の足場板が取り付けられており、作業者が梯子２１から足場板へ乗り移り、当該足場板に乗った状態で照明器具Ｌを操作できる。なお、トーメンタルタワー２の構造は、上記の限りではなく、任意の数の照明器具Ｌを支えられる構造であればよい。また、トーメンタルタワー２にスピーカ等の照明器具Ｌ以外の器具、装置等を取り付けてもよいのは勿論である。
【００３７】
また、本体部２０の舞台奥側には、見切幕２２が展張される（図３）。当該見切幕２２は、図４（ａ）（ｂ）に示すように、上下に分割されている。見切幕２２全体としての大きさは、トーメンタルタワー２の舞台奥側の全面を覆うことのできる大きさである。そして、分割された見切幕２２のうちの上側は常設幕２２ａであり、トーメンタルタワー２に常時展張されている。その一方、分割された見切幕２２のうちの下側は着脱幕２２ｂであり、トーメンタルタワー２に着脱できる。
【００３８】
着脱幕２２ｂの大きさは、図４（ｂ）に示すように、着脱幕２２ｂを外した状態で駆動装置５の後述するハンドル５０が露出する程度の大きさである。このため、ハンドル５０を操作する場合には、着脱幕２２ｂを取り外して操作すればよく、当該操作時に見切幕２２の全てを取り外す必要がないので利便性が良い。また、トーメンタルタワー２に見切幕２２を取り付けても着脱幕２２ｂを外せるので、見切幕２２がハンドル操作の妨げにならない。
【００３９】
このように、本実施の形態では、着脱幕２２ｂ部分をハンドル操作のための開閉部として利用している。また、本実施の形態では、着脱幕２２ｂをトーメンタルタワー２に着脱可能にするため、着脱幕２２ｂの上下に面ファスナ２２ｃ，２２ｄを取り付けている。しかし、着脱幕２２ｂをトーメンタルタワー２に着脱可能に取り付けるための方法は、面ファスナに限らず適宜変更できる。例えば、ボタン、クリップ等を利用してもよい。
【００４０】
つづいて、トーメンタルタワー２を間口方向へ移動可能にする走行装置３は、図５，６に示すように、トーメンタルタワー２が積載される略矩形の基台３０と、この基台３０と舞台１との間に奥行方向に並べて設けられる一対のリニアガイド３１，３２とを備える（図６）。これらリニアガイド３１，３２は、共通の構成を有しており、それぞれがレール３３と、レール３３を走行する二つのスライダ３４，３５とを有する（図５）。
【００４１】
両リニアガイド３１，３２のレール３３，３３は、間口方向に沿って平行に配置され、舞台１に固定される。より詳しくは、舞台１は、床１０と、床１０を支える躯体１１と、図示しない床下構造物とを有して構成されている。床１０には、トーメンタルタワー装置Ａが設置される部分に開口１０ａが形成されており、レール３３は、当該開口１０ａを通じて躯体１１及び床下構造物に固定される。
【００４２】
その一方、一本のレール３３上を走行する一組のスライダ３４，３５は、基台３０の下側であって間口方向の両側に固定される（図５）。図示しないが、スライダ３４，３５には、それぞれ多数の転動体がレール３３との間に保持されており、スライダ３４，３５がレール３３上を移動すると転動体が回転する。つまり、リニアガイド３１，３２は、直動式の転がり軸受け構造を有し、スライダ３４，３５がレール３３上を円滑に移動できる。
【００４３】
前述のように、スライダ３４，３５が基台３０に固定されていて、レール３３が間口方向に沿って配置されているので、スライダ３４，３５がレール３３に沿って動くと、基台３０と、基台３０に積載されたトーメンタルタワー２等の可動部が間口方向へ移動する（図５）。
【００４４】
そして、演奏会が催される場合等、間口Ｆを照らす照明器具Ｌが不要な場合には、トーメンタルタワー２を最も袖側へ寄せた位置（格納位置）に配置する（図５）。このようにトーメンタルタワー２が格納位置にある場合には、床１０に形成された開口１０ａの袖側部分が基台３０で塞がれる。この場合、開口１０ａにおける基台３０で塞がれない舞台側部分は、取り外し式の分割床３６で塞がれる。
【００４５】
その一方、演劇が催される場合等、間口Ｆを照らす照明器具Ｌが利用される場合には、トーメンタルタワー２を最も舞台側へ寄せた位置（使用位置）に配置する。このようにトーメンタルタワー２が使用位置にある場合には、床１０に形成された開口１０ａの舞台側部分が基台３０で塞がれる。この場合、開口１０ａにおける基台３０で塞がれない袖側部分が上記分割床３６で塞がれる。
【００４６】
当該構成によれば、レール３３が基台３０と分割床３６で覆われる。そして、分割床３６は、床１０と同じ高さに設けられるので、演者、作業者等の通行の妨げにならない。また、トーメンタルタワー２の駆動時以外は、レール３３を床下に格納できるのでレール３３を保護できる。なお、本実施の形態では、分割床３６を四枚設けているがその数は適宜変更できる。
【００４７】
つづいて、トーメンタルタワー２を間口方向へ駆動する駆動装置５は、ハンドル５０と、ハンドル５０の回転により回転駆動されるピニオン５１と、ピニオン５１が噛合するラック５２と、ハンドル５０の回転を減速するとともに回転方向を変えてピニオン５１に伝えるギヤボックス５３とを備える。
【００４８】
ハンドル５０は、手回し式であり、作業者が掴むための持ち手５０ａを有する。そして、ハンドル５０は、正面を舞台奥側へ向けて配置される（図６）。また、ハンドル５０は、作業者の腰程（床１０から約９００ｍｍ程度）の高さに設けられている。
【００４９】
このため、作業者が床１０上に立った状態（トーメンタルタワー装置Ａから降りた状態）で、ハンドル５０を回転しつつトーメンタルタワー２とともに舞台１上を移動し易い。なお、ハンドル５０の向き及び高さはこの限りではなく、作業者が作業をし易いように適宜変更できる。
【００５０】
また、ハンドル５０の回転軸は、ギヤボックス５３に接続されている。ギヤボックス５３は、基台３０上に設置された支持台５４上に固定されており、ハウジング（符示せず）と、ハウジングに収容されたウォームギヤ５５（図７）とを有する。当該ウォームギヤ５５は、図７に示すように、ウォーム５５ａと、ウォーム５５ａに噛合するウォームホイール５５ｂとを有する。
【００５１】
そして、ウォーム５５ａの回転軸５５ｃが奥行方向へ略水平に延びてハンドル５０の回転軸に直列に接続されており、ウォームホイール５５ｂの回転軸が連結軸５６を介してピニオン５１の回転軸に直列に接続されている。当該構成によれば、ウォームギヤ５５でハンドル５０の回転を減速するとともに、回転方向を切換えてピニオン５１に伝達できる。
【００５２】
ピニオン５１は、図６に示すように、基台３０の下側に配置され、基台３０に取り付けられた軸受で回転自在に支持されて水平回転する。当該ピニオン５１が噛合するラック５２は、二本のレール３３，３３の間にこれらと平行に設けられ、舞台１の躯体１１及び床下構造物に固定されている。
【００５３】
このため、ハンドル５０を回転するとピニオン５１が回転し、ラック５２に沿ってピニオン５１が間口方向の舞台側又は袖側へ移動する。すると、ピニオン５１とともに基台３０が移動するので、基台３０上のトーメンタルタワー２、ギヤボックス５３、及びハンドル５０が間口方向の舞台側又は袖側へ移動する。
【００５４】
また、前述のように、ウォームギヤ５５を設けてハンドル５０の回転方向を変換するとともに、ハンドル５０の回転を減速してピニオン５１へ伝えている。このため、ハンドル５０を作業者が回転し易い任意の方向へ向けて配置できるとともに、トーメンタルタワー２を含む可動部の重量が重くてもハンドル５０操作を軽くでき、作業負荷が軽減される。
【００５５】
また、ウォームホイール側からのトルク入力に対してはウォーム５５ａが回転しない構造、即ち、セルフロックのかかる構造となっている。このため、トーメンタルタワー２の移動を阻止するための機構を別途設けなくても、ハンドル５０を回転しなければトーメンタルタワー２が動かない。よって、トーメンタルタワー装置Ａの構造を簡易且つ容易にできる。
【００５６】
また、図５に示すように、基台３０の下側には、ピニオン５１を覆うようにカバー５７が設けられている。カバー５７は、矩形の天板５７ａと、天板５７ａの向かい合う二辺から下方へ延びる一対のストッパ部５７ｂ，５７ｃとを有して断面コ字状となっている。そして、カバー５７は、天板５７ａが基台３０の下面に沿うとともに、ストッパ部５７ｂ，５７ｃがトーメンタルタワー２の進行方向（間口方向）へ並ぶようにして基台３０に固定される。
【００５７】
また、ストッパ部５７ｂ，５７ｃが設けられている方のカバー５７の幅は、ピニオン５１の直径よりも大きく（図５）、ストッパ部５７ｂ，５７ｃの先端がピニオン５１の下側まで延びている。その一方、ストッパ部５７ｂ，５７ｃが設けられていない方のカバー５７の幅は、ピニオン５１の直径よりも短く（図６）、カバー５７をピニオン５１に被せた状態で、ピニオン５１の一部がカバー５７外へはみ出してラック５２に噛合する。
【００５８】
また、舞台１の躯体１１又は床下構造物には、ストッパ部５７ｂ，５７ｃに対向する位置にそれぞれクッションゴム５８ａ，５８ｂが設けられている。そして、トーメンタルタワー２が使用位置にある場合、一方のストッパ部５７ｂが一方のクッションゴム５８ａに突き当たり、トーメンタルタワー２が格納位置にある場合、他方のストッパ部５７ｃが他方のクッションゴム５８ｂに突き当たる。このため、トーメンタルタワー２を間口方向の両側の限界位置まで動かしたときの衝撃をクッションゴム５８ａ，５８ｂで緩和できる。
【００５９】
つづいて、トーメンタルタワー２の倒れを防止する倒れ防止装置４は、図２，３に示すように、本体部２０の上端部に回転自在に取り付けられたローラ４０と、固定壁Ｗに固定されてローラ４０が走行するレール４１とを備える。固定壁Ｗは、詳細に図示しないが、化粧板と、化粧板を支える躯体とを有して構成されており、レール４１は躯体に埋め込まれたアンカーボルトを利用して固定壁Ｗの躯体に固定されている。
【００６０】
また、ローラ４０は、二つで一組とされており、本体部２０における間口方向の両側に一組ずつ計四個設けられ、全て水平回転する。図８に示すように、レール４１はＨ鋼であり、ウェブ４１ａと、ウェブ４１ａの両端に設けた一対のフランジ４１ｂ，４１ｃとを有する。そして、レール４１は、一方のフランジ４１ｂを固定壁Ｗに向けた状態で間口方向に沿って配置されており、他方のフランジ４１ｃの下部が奥行方向に並ぶ各組のローラ４０，４０で挟まれる。
【００６１】
このように、二組のローラ４０でレール４１のフランジ４１ｃを挟んでいるので、トーメンタルタワー２の倒れが防止される。また、トーメンタルタワー２が間口方向へ動くと、ローラ４０がフランジ４１ｂを挟みつつ回転する。このため、倒れ防止装置４がトーメンタルタワー２の移動の妨げとならず、トーメンタルタワー２の円滑な移動が可能となる。
【００６２】
以下、本実施の形態の間口照明移動装置であるトーメンタルタワー装置Ａを多目的ホールで使用した場合の使用例について説明する。
【００６３】
多目的ホールで演奏会が行われる場合には、図１中、中心線Ｘの左側に示すように、天井反射板ｂ１を演出空間Ｐの上部に寝かせた状態で設け、正面反射板ｂ２を演出空間Ｐの奥に起立した状態に設け、一対の側面反射板ｂ３，ｂ４を演出空間Ｐの上手側と下手側に起立した状態に設ける。
【００６４】
また、演奏会が行われる場合には、トーメンタルタワー２を袖側へ後退させて格納位置に配置する。さらに、舞台１の開口１０ａにおいて、基台３０で塞がれない舞台側部分を分割床３６で塞ぐ。
【００６５】
このように、多目的ホールで演奏会が行われる場合には、音響反射板Ｂを舞台１上に設置しているので、所望の音響反射効果を得られる。また、トーメンタルタワー２を格納位置に配置するとともに、開口１０ａを分割床３６で塞ぐので、出演者が演出空間Ｐと袖Ｓ１，Ｓ２との間を行き来し易い。
【００６６】
その一方、多目的ホールで演劇が行われる場合には、図１中、中心線Ｘの右側に示すように、天井反射板ｂ１と正面反射板ｂ２を舞台１奥側であって演出空間Ｐよりも上方に格納するとともに、一対の側面反射板ｂ３，ｂ４をそれぞれ袖Ｓ１，Ｓ２に格納する。
【００６７】
また、多目的ホールで演劇が行われる場合には、トーメンタルタワー２を舞台側へ前進させて使用位置に配置する。さらに、舞台１の開口１０ａにおいて、基台３０で塞がれない袖側部分を分割床３６で塞ぐとともに、着脱幕２２ｂをトーメンタルタワー２に装着する。
【００６８】
このように、演劇が行われる場合には、トーメンタルタワー２が間口Ｆに接近した位置に配置されるので照明器具Ｌが間口Ｆに近づく。よって、間口Ｆの明るさを容易に確保できる。さらに、トーメンタルタワー２に見切幕２２（図４）を取り付けているので、客席側からトーメンタルタワー２の奥（袖Ｓ１，Ｓ２）が見えるのを防止できる。
【００６９】
つまり、本実施の形態では、多目的ホールを演奏会に適した演奏会形式にしたり、演劇に適した演劇形式にしたりできる。そして、多目的ホールを演奏会形式にした場合には、音響反射板Ｂを設置して当該音響反射板Ｂによる音響反射効果を得られるとともに、多目的ホールを演劇形式にした場合には、トーメンタルタワー２を前進させて間口Ｆの明るさを確保できる。
【００７０】
つづいて、多目的ホールを図１中左側に示す演奏会形式から右側に示す演劇形式に変更する場合、まず、音響反射板Ｂを格納してから、分割床３６と着脱幕２２ｂ（図４）を取り外し、ハンドル５０を一方へ回転してトーメンタルタワー２を舞台側へ前進させる。そして、トーメンタルタワー２を使用位置まで前進させた状態でハンドル５０の回転を停止し、開口１０ａにおける袖側を分割床３６で塞ぐとともに、着脱幕２２ｂをトーメンタルタワー２に取り付ける。
【００７１】
反対に、多目的ホールを図１中右側に示す演劇形式から左側に示す演奏会形式に変更する場合、まず、分割床３６と着脱幕２２ｂ（図４）を取り外し、ハンドル５０を逆方向へ回転してトーメンタルタワー２を袖側へ後退させる。そして、トーメンタルタワー２を格納位置まで後退させた状態でハンドル５０の回転を停止し、開口１０ａにおける舞台側を分割床３６で塞いだ後に、音響反射板Ｂを設置する。
【００７２】
このように、多目的ホールの形態を演劇形式と演奏会形式とで切換える場合、トーメンタルタワー２を袖側へ後退させた状態で音響反射板Ｂ、及び他の舞台装置を移動できる。よって、演奏会形式において良好な音響反射効果を得るため、音響反射板Ｂを間口Ｆに近づけて配置したとしても、当該音響反射板Ｂを設置したり格納したりする際にトーメンタルタワー２が邪魔にならない。
【００７３】
つづいて、本実施の形態の間口照明移動装置であるトーメンタルタワー装置Ａの作用効果について説明する。
【００７４】
本実施の形態において、トーメンタルタワー装置（間口照明移動装置）Ａは、トーメンタルタワー（照明取付用フレーム）２の舞台奥側面を覆う見切幕２２を備えている。そして、当該見切幕２２の一部が着脱幕２２ｂとなっていて当該部分を開閉できる。このため、当該着脱幕（開閉部）２２ｂをハンドル５０と対向する位置に設ければ、見切幕２２を全て外さずにハンドル操作ができる。
【００７５】
また、本実施の形態では、見切幕２２の開閉部を着脱幕２２ｂにして、当該着脱幕２２ｂをトーメンタルタワー２から完全に分離できる。このため、ハンドル操作のための開口を大きくとれるとともに、見切幕２２の開閉を容易にできる。
【００７６】
しかし、見切幕２２の構成は上記の限りではなく、適宜変更できる。例えば、見切幕２２の開閉部が常設幕２２ａの下端に常に連結された状態となっており、ハンドル操作時に当該開閉部をめくり上げるようにしてもよい。この場合には、見切幕２２を一枚布で形成できる。さらに、トーメンタルタワー２の舞台奥側が客席から見えない構造となっていれば、見切幕２２を廃するとしてもよい。
【００７７】
また、本実施の形態の駆動装置５は、舞台１の間口方向に沿って舞台１に取り付けられたラック５２と、ラック５２に噛合するピニオン５１と、ピニオン５１を回転するハンドル５０とを有して構成されている。このため、作業者がハンドル５０を回転することでトーメンタルタワー２を駆動できる。つまり、トーメンタルタワー２を手動で駆動できるので、トーメンタルタワー装置Ａを安価にできる。
【００７８】
なお、モータでピニオン５１を回転する等、トーメンタルタワー２を電動で駆動するとしてもよい。そして、当該変更は、見切幕２２の構成、及び有無によらず可能である。
【００７９】
また、本実施の形態では、ハンドル５０とピニオン５１との間にウォームギヤ（減速機）５５が設けられている。そして、ウォームギヤ５５はハンドル５０の回転を減速し、ハンドル５０の回転方向を切換えてピニオン５１へ伝達する。このため、手動でトーメンタルタワー２を駆動する場合であっても、ハンドル操作を軽くできるとともに、ハンドル５０の向きを操作し易い向きにできるので、操作性を良好にできる。
【００８０】
さらに、本実施の形態では、ハンドル５０の正面を舞台奥側へ向けて配置している。このため、作業者がトーメンタルタワー装置Ａの舞台奥側へ降りた状態で、ハンドル５０を回転しつつトーメンタルタワー２とともに舞台１上を間口方向へ移動できる。
【００８１】
加えて、本実施の形態では、ウォームギヤ（減速機）５５がセルフロック機能を有し、ピニオン５１側からのトルク入力に対するハンドル５０の回転を阻止する。このため、ハンドル５０を回転しなければトーメンタルタワー２を停止した状態に維持できる。よって、トーメンタルタワー２を停止した状態に維持する装置を別途設ける必要がなく、トーメンタルタワー装置Ａの構造を簡易にしてコストを低減できる。
【００８２】
なお、減速機はウォームギヤ以外でもよい。また、ハンドル操作に支障がなければ、減速機で回転方向を切換えずにハンドルの回転をピニオンに伝えてもよい。さらに、本実施の形態のように、舞台１とトーメンタルタワー２との間にリニアガイド３１，３２が設けられている場合、トーメンタルタワー２を比較的抵抗なく移動できる。このため、このような場合には、例えば、ハンドル５０とピニオン５１との間に回転変換機構を設け、ハンドルの回転を減速せずにピニオンへ伝達するとしてもよい。そして、これらの変更は、見切幕２２の構成、及び有無によらず可能である。
【００８３】
また、本実施の形態では、舞台１とトーメンタルタワー（照明取付用フレーム）２との間にリニアガイド３１，３２が設けられている。このため、本実施の形態のように、トーメンタルタワー２の重量を舞台１で支えるとともに、トーメンタルタワー２を手動で駆動する場合であっても、トーメンタルタワー２を間口方向へ容易且つ円滑に移動できる。
【００８４】
しかし、トーメンタルタワー２の間口方向への移動を可能にする走行装置３の構成は、リニアガイド３１，３２に限らず適宜変更できる。例えば、基台３０の下側に車輪を設け、当該車輪が舞台に取り付けたレール上を走行するとしてもよい。そして、このような変更は、見切幕２２の構成及び有無、並びに、駆動装置５の構成によらず可能である。
【００８５】
また、本実施の形態において、トーメンタルタワー装置（間口照明移動装置）Ａは、舞台１の間口Ｆの幅を制限する固定壁（壁部）Ｗに取り付けられたレール４１と、トーメンタルタワー（照明取付用フレーム）２の上部に取り付けられてレール４１を舞台１の奥行方向の両側から挟む一組のローラ４０，４０とを備える。このため、トーメンタルタワー２の重量を舞台１で支える場合であっても、トーメンタルタワー２の倒れを防止できる。
【００８６】
さらに、本実施の形態では、ローラ４０，４０が二組設けられ、トーメンタルタワー２の間口方向の両側に設けられている。このため、トーメンタルタワー２の倒れを確実に防止できる。
【００８７】
しかし、ローラを三組以上設けてもよい。また、本実施の形態において、レール４１はＨ鋼であるが、それ以外でもよい。さらに、トーメンタルタワー２の倒れが防止されていれば、ローラ４０、及びレール４１を有して構成される倒れ防止装置４を廃するとしてもよい。加えて、トーメンタルタワー２の転倒を防ぐ上ではローラ４０をトーメンタルタワー２の上部に設けるのが好ましいが、例えば、トーメンタルタワー２の中央部にローラを取り付けてもよい。そして、これらの変更は、見切幕２２の構成及び有無、駆動装置５の構成、並びに、走行装置３の構成によらず可能である。
【００８８】
また、本実施の形態では、トーメンタルタワー装置（間口照明移動装置）Ａが舞台１の袖Ｓ１，Ｓ２に設置されて照明器具Ｌを取り付け可能なトーメンタルタワー（照明取付用フレーム）２と、トーメンタルタワー２を駆動して、トーメンタルタワー２を舞台１の間口方向へ移動させる駆動装置５とを備えている。
【００８９】
このため、トーメンタルタワー装置Ａが多目的ホールに利用される場合であっても、音響反射板Ｂ等の他の舞台装置の設置、及び移動の妨げにならない位置にトーメンタルタワー２を移動できる。加えて、照明器具Ｌを利用する場合には、トーメンタルタワー２を間口に近い位置に配置できる。よって、トーメンタルタワー２を多目的ホールに利用する場合であっても、間口Ｆの明るさを容易に確保できる。
【００９０】
＜第二の実施の形態＞
つづいて、本発明の第二の実施の形態に係る間口照明移動装置について説明する。以下の説明において、第一の実施の形態で説明した構成と同じか対応する構成については、同一符号を付して詳細な説明を省略する。
【００９１】
図９（ａ）に示すように、本実施の形態に係る間口照明移動装置は、多目的ホールに利用されるプロセニアムウイング移動装置Ｍｗであり、プロセニアム桁部昇降装置Ｍｐとともに舞台１の間口Ｆの大きさを変更する間口調整装置Ｍを構成する。
【００９２】
プロセニアムウイング移動装置Ｍｗは、舞台１の上手側と下手側の袖Ｓ１，Ｓ２に、それぞれ設置されている。これら一対のプロセニアムウイング移動装置Ｍｗ，Ｍｗは、共通の構成を備えており、客席側から見て左右対称に配置されている。
【００９３】
ここでいう「プロセニアムウイング移動装置が袖に設置された」状態とは、装置全体が袖Ｓ１，Ｓ２に収容されて客席から完全に見えなくなった状態のみに限られず、一部が客席から見える状態も含む。プロセニアムウイング移動装置Ｍｗは、常に固定壁Ｗに隠れた位置にある前述のトーメンタルタワー装置Ａとは異なり、固定壁Ｗに完全に隠れた位置から観客に見える位置まで移動して、舞台１の間口Ｆの幅を変更できるようになっている。
【００９４】
具体的に、プロセニアムウイング移動装置Ｍｗは、図１０，１１に示すように、プロセニアムウイング６と、プロセニアムウイング６を間口方向へ移動可能にする走行装置３Ａと、プロセニアムウイング６を間口方向へ駆動する駆動装置５Ａと、プロセニアムウイング６の振れ止めをする振止装置７とを備える。
【００９５】
プロセニアムウイング６は、フレーム材、単管パイプ等を組み立てて形成される構造体である躯体部６０と、当該躯体部６０の舞台手前側に取り付けられるサイドパネル６１とを有する。躯体部６０は、サイドパネル６１が固定されるパネル固定部６０ａと、当該パネル固定部６０ａの舞台奥側に設けられて照明器具Ｌが上下に並べて取り付けられる照明取付部６０ｂと、梯子６０ｃ（図１０）とを有する。
【００９６】
本実施の形態では、プロセニアムウイング６の躯体部６０が間口Ｆを照らす照明器具Ｌを取り付けるための照明取付用フレームである。そして、当該躯体部６０がサイドパネル６１と一体となって間口方向へ移動するとともに、駆動装置５Ａにより駆動され、振止装置７により振れ止めされる。図示しないが、照明取付部６０ｂの任意の位置に足場板が取り付けられており、作業者が梯子６０ｃから足場板へ乗り移り、当該足場板に乗った状態で照明器具Ｌを操作できるようになっている。
【００９７】
また、サイドパネル６１は、後に詳細に説明するように、プロセニアムウイング移動装置Ｍｗで間口Ｆの幅を狭めた際、間口Ｆを形成するため固定壁Ｗに設けた開口の側部を塞げる大きさに設定されている。サイドパネル６１は、不透明であるので、サイドパネル６１で固定壁Ｗに設けた開口の側部を塞ぐと、客席からサイドパネル６１よりも舞台奥側が見えなくなる。
【００９８】
なお、プロセニアムウイング６の構造は、上記の限りではなく、適宜変更できる。例えば、プロセニアムウイング６に、照明器具Ｌ以外にスピーカ等を取り付けてもよい。
【００９９】
つづいて、プロセニアムウイング６を間口方向へ移動可能にする走行装置３Ａは、図１０に示すように、躯体部６０の上端部に取り付けられた二つのトロリ３７，３８と、これらトロリ３７，３８が走行するレール３９とを有する。
【０１００】
二つのトロリ３７，３８は、プロセニアムウイング６の躯体部６０の上端部であって間口方向の両端部にそれぞれ連結されている。間口Ｆに近い舞台側のトロリ３７は、プレントロリである。その一方、間口Ｆから離れた袖側のトロリ３８は、ギヤードトロリである。これらトロリの構成は公知であるので、ここでの詳細な説明を省略するが、ギヤードトロリであるトロリ３８は、駆動装置５Ａと一体となっている。
【０１０１】
当該駆動装置５Ａは、ハンドホイール５９と、ハンドホイール５９の回転を減速してトロリ３８の駆動輪（図示せず）に伝達する減速機（図示せず）と、ハンドホイール５９に巻掛けられたハンドチェーン５９ａとを有する。ハンドチェーン５９ａは、舞台１の床面近くまで延びており、舞台１上の作業者がハンドチェーン５９ａを操作してハンドホイール５９を回転するとトロリ３８の駆動輪が回転駆動される。すると、当該トロリ３８、プロセニアムウイング６、及び舞台側のトロリ３７が一体となってレール３９に沿って移動する。
【０１０２】
レール３９は、舞台１の間口方向に沿って配置されている。このため、プロセニアムウイング６が間口方向へ移動でき、当該プロセニアムウイング６とともに間口Ｆを照らす照明器具Ｌが移動する。
【０１０３】
さらに、間口Ｆを形成するため固定壁Ｗに形成された開口の周縁であって、その上部を上縁ｗ１、左右を側縁ｗ２，ｗ３とすると、図１０に示すように、レール３９は、固定壁Ｗの上縁ｗ１よりも上側であって側縁ｗ２，ｗ３よりも袖側から上縁ｗ１の上側へと延びている。
【０１０４】
そして、プロセニアムウイング６が固定壁Ｗの側縁ｗ２，ｗ３よりも袖側にあり、客席から見て固定壁Ｗに完全に隠れた状態であって、最も袖側へ後退した状態にある格納位置（図９（ｂ）中、中心線Ｘの左側、二点鎖線）からプロセニアムウイング６が側縁ｗ２，ｗ３を超えて舞台側へ最も前進し、プロセニアムウイング６が固定壁Ｗの開口を通じて客席から見える使用位置まで移動できるようになっている。図９（ｂ）中、中心線Ｘの右側は、プロセニアムウイング６が使用位置へ移動する過程を示示している。
【０１０５】
また、プロセニアムウイング６は、格納位置及び使用位置で停止できるのは勿論、固定壁Ｗに完全に隠れた状態で、且つ、格納位置から前進して先端（舞台側の端部）を固定壁Ｗの側縁ｗ２，ｗ３に近接させた状態にある照明使用位置（図９（ｂ）中、中心線Ｘの左側、破線）でも停止する。
【０１０６】
プロセニアムウイング６が格納位置及び照明使用位置にある場合には、舞台１の間口Ｆの幅は、固定壁Ｗの開口の横幅（上手側の側縁ｗ２から下手側の側縁ｗ３までの距離）に等しい。しかし、プロセニアムウイング６が使用位置にある場合には、固定壁Ｗの開口の側部をプロセニアムウイング６で塞ぐので間口Ｆの幅が狭くなる。
【０１０７】
換言すると、本実施の形態では、固定壁Ｗの開口で間口Ｆの最大幅が決まる。そして、舞台１の上手側と下手側のプロセニアムウイング６，６が格納位置及び照明使用位置にある場合には、固定壁Ｗの開口の横幅が間口Ｆの幅となる（図９（ｂ）中、中心線Ｘの左側）。その一方、舞台１の上手側と下手側のプロセニアムウイング６，６が使用位置にある場合には、両プロセニアムウイング６，６の間隔が間口Ｆの幅となる。
【０１０８】
つまり、プロセニアムウイング６を前進させると、間口Ｆの幅を狭める方向へ変更できる。なお、プロセニアムウイング６の使用位置は、多段階に設定されていても、無段階に設定されていてもよい。この場合には、間口Ｆの幅を多段階又は無段階に調整できる。
【０１０９】
また、図１０，１１に示すように、レール３９は、固定壁Ｗに固定されたアーム３９ａの先端に連結されるとともに、その両端が演出空間Ｐよりも上方に設けた簀子から垂下されるワイヤ３９ｂに連結されている。このように、本実施の形態では、固定壁Ｗと簀子の両方でレール３９を支えているので、より安全な設計とすることができる。しかし、レール３９の固定方法はこの限りではなく、適宜変更できる。
【０１１０】
また、図１１に示すように、プロセニアムウイング６は、後述するプロセニアム桁部８との干渉を避けるため、固定壁Ｗから若干離れた位置に設けられている。しかし、当該プロセニアムウイング６の位置は、プロセニアム桁部８との位置関係、及びプロセニアム桁部８の構成に応じて適宜変更可能であり、場合によっては、プロセニアムウイング６を固定壁Ｗと近接した位置に設けてもよいのは勿論である。
【０１１１】
つづいて、照明取付用フレーム２Ａの振れ止めをする振止装置７は、図１１に示すように、プロセニアムウイング６の下端から下方へ突出するガイドシュー７０と、舞台１に固定されてガイドシュー７０が摺接可能なガイドレール７１とを備える。
【０１１２】
ガイドシュー７０は、プロセニアムウイング６の躯体部６０に、その下端から垂下した状態に固定された板状の部材であり、板面が舞台の手前及び奥側を向くようにして配置される。また、ガイドシュー７０は、躯体部６０の進行方向（間口方向）に並べて二つ設けられている（図１０）。
【０１１３】
その一方、ガイドレール７１は、一対の長尺な板状部材７１ａ，７１ｂ（図１１）を有して構成されており、これらが舞台１の間口方向に沿うように、舞台１の奥行方向に平行に並べて配置される。そして、一対の板状部材７１ａ，７１ｂの間に形成される隙間にガイドシュー７０が摺動自在に挿入されており、ガイドレール７１でガイドシュー７０を板厚方向（奥行方向）の両側から挟んでいる。
【０１１４】
一対の板状部材７１ａ，７１ｂの間に形成される隙間の間隔は、ガイドシュー７０の板厚よりも若干広く設定されている。このため、プロセニアムウイング６を移動する際、一対の板状部材７１ａ，７１ｂの間をガイドシュー７０が抵抗なく間口方向へ移動できるとともに、一対の板状部材７１ａ，７１ｂでガイドシュー７０が奥行方向へ移動するのを抑制できる。よって、当該振止装置７によれば、プロセニアムウイング６の間口方向への移動を妨げずに、プロセニアムウイング６が奥行方向へ振れるのを抑制できる。
【０１１５】
さらに、本実施の形態に係るプロセニアムウイング移動装置Ｍｗは、プロセニアムウイング６を任意の位置で停止した状態に維持するためのストッパ（図示せず）を備えている。しかし、第一の実施の形態のトーメンタルタワー装置Ａのように、セルフロックのかかる構造となっていてもよい。
【０１１６】
また、本実施の形態に係るプロセニアムウイング移動装置Ｍｗにおいても、プロセニアムウイング６を限界位置まで動かしたときの衝撃を吸収するクッションゴム（図示せず）を備えていてもよい。
【０１１７】
以上をまとめると、上記プロセニアムウイング移動装置Ｍｗによれば、ハンドチェーン５９ａの操作によりハンドホイール５９を任意の方向へ回転すると、トロリ３８の駆動輪が回転駆動されてプロセニアムウイング６が間口方向の袖側又は舞台側へ移動する。
【０１１８】
そして、多目的ホールで演奏会が催される場合等、間口Ｆを照らす照明器具Ｌが不要な場合には、プロセニアムウイング６を最も袖側へ寄せた格納位置に配置して、当該プロセニアムウイング６が音響反射板の設置の妨げになるのを防止する。
【０１１９】
その一方、演劇が催される場合等、間口Ｆを照らす照明器具Ｌが利用される場合には、プロセニアムウイング６を舞台側へ前進させた照明使用位置又は使用位置に配置して、照明器具Ｌを舞台１の間口Ｆに近づける。プロセニアムウイング６を照明使用位置に配置した場合には間口Ｆの幅を広くでき、使用位置に配置した場合には間口Ｆの幅を狭くできる。
【０１２０】
また、プロセニアムウイング６の駆動時において、駆動装置５Ａと走行装置３Ａが一体的に設けられていて、駆動装置５Ａによる推力を走行装置３Ａが直接受ける構造となっている。よって、推力を効率よく伝達してハンドホイール５９の回転操作を軽くできるとともに、プロセニアムウイング６が図１０中左右に傾くのを抑制できる。
【０１２１】
また、本実施の形態では、プロセニアムウイング６の上端を走行装置３Ａに連結し、当該プロセニアムウイング６を吊り下げた状態で移動するとともに、当該プロセニアムウイング６の下部に振止装置７が設けられている。よって、プロセニアムウイング６の上下長が長くても、プロセニアムウイング６を安定して走行させられる。
【０１２２】
つづいて、プロセニアムウイング移動装置Ｍｗとともに間口調整装置Ｍを構成するプロセニアム桁部昇降装置Ｍｐは、プロセニアム桁部８と、当該プロセニアム桁部８を上下方向へ移動させる昇降装置（図示せず）とを備える。昇降装置の構成は任意であるが、例えば、プロセニアム桁部８の上下方向への移動をガイドするガイド部材と、簀子に固定されてプロセニアム桁部８を吊り下げるワイヤを繰り出し巻き取るウインチとを備えるとよい。
【０１２３】
プロセニアム桁部８は、詳細な図示を省略するが、フレーム材、単管パイプ等を組み立てて形成される構造体である躯体部と、当該躯体部の客席から見える部分を覆うパネルとを有する。
【０１２４】
そして、プロセニアム桁部８が固定壁Ｗの上縁ｗ１よりも上側にあり、客席から見て固定壁Ｗに完全に隠れた状態にある格納位置（図９（ｂ）中、中心線Ｘの左側）からプロセニアム桁部８が上縁ｗ１を超えて下方へ移動し、プロセニアム桁部８が固定壁Ｗの開口を通じて客席から見える使用位置（図９（ｂ）中、中心線Ｘの右側）まで移動できるようになっている。
【０１２５】
プロセニアム桁部８が格納位置にある場合には、舞台１の間口Ｆの高さは、固定壁Ｗの開口の縦幅（舞台１の床面から上縁ｗ１までの距離）に等しい。しかし、プロセニアム桁部８が使用位置にある場合には、固定壁Ｗの開口の上部をプロセニアム桁部８で塞ぐので間口Ｆの高さが低くなる。
【０１２６】
換言すると、本実施の形態では、固定壁Ｗの開口で間口Ｆの最大高さが決まる。そして、プロセニアム桁部８が格納位置にある場合には、固定壁Ｗの開口の縦幅が間口Ｆの高さとなる（図９（ｂ）中、中心線Ｘの左側）。その一方、プロセニアム桁部８が使用位置にある場合には、舞台１の床面からプロセニアム桁部８の下端までの距離が間口Ｆの高さとなる（図９（ｂ）中、中心線Ｘの右側）。
【０１２７】
つまり、プロセニアム桁部８を下降させると、間口Ｆの高さを低くする方向へ変更できる。なお、プロセニアム桁部８の使用位置は、多段階に設定されていても、無段階に設定されていてもよい。この場合には、間口Ｆの高さを多段階又は無段階に調整できる。また、音響反射板等、他の舞台装置の設置の妨げにならなければ、プロセニアム桁部８の下端を常に固定壁Ｗの上縁ｗ１から下側へ突出させて、当該プロセニアム桁部８で間口Ｆの最大高さを決めてもよい。
【０１２８】
つづいて、プロセニアム桁部８には、プロセニアムウイング６の進入を許容する収納部８ａが形成されるとともに、当該収納部８ａの下端開口を開閉するスライドパネル８０が設けられている。スライドパネル８０には、カウンタウエイト（図示せず）が取り付けられていて、当該カウンタウエイトにより収納部８ａの下端開口を閉じる方向へ附勢されている。さらに、スライドパネル８０には、プロセニアムウイング６が突き当たる突当板８０ａが設けられている。
【０１２９】
上記構成によれば、舞台１の間口Ｆを小さくするには、プロセニアム桁部８及びプロセニアムウイング６を使用位置に配置する。この場合、図９（ｂ）中、中心線Ｘの右側に示すように、プロセニアムウイング６がスライドパネル８０を開きつつ前進して収納部８ａに進入する。このため、プロセニアム桁部８とプロセニアムウイング６が奥行方向に重なる場合であっても、間口調整装置Ｍ全体としての奥行方向の厚みを薄くできるとともに、客席から見たときのプロセニアム桁部８とプロセニアムウイング６との一体感が向上する。
【０１３０】
反対に、舞台１の間口Ｆの幅を広げるため、プロセニアムウイング６を後退させて収納部８ａから退出させると、カウンタウエイトの附勢力によりスライドパネル８０が閉じ方向へ移動してプロセニアムウイング６が退出した分だけ収納部８ａの下端開口を閉じる。このように、本実施の形態では、カウンタウエイトでスライドパネル８０を閉じ方向へ附勢しているので、プロセニアムウイング６の退出に伴い収納部８ａの下端開口をスライドパネル８０で自動的に閉じられる。
【０１３１】
しかし、スライドパネル８０を閉じ方向へ附勢するための構成は、カウンタウエイトに限られず、適宜変更できる。例えば、コイルばね等のばねの附勢力を利用してもよく、スライドパネル８０の自重を利用してもよい。また、スライドパネル８０を手動又は電気的に駆動して、収納部８ａの下端開口を閉じるとしてもよい。
【０１３２】
以下、本実施の形態の間口照明移動装置であるプロセニアムウイング移動装置Ｍｗを備えた間口調整装置Ｍを多目的ホールで使用した場合の使用例について説明する。
【０１３３】
多目的ホールで演奏会が行われる場合には、第一の実施の形態と同様に、舞台１上に音響反射板を設置する。さらに、上手側と下手側のプロセニアムウイング６，６を袖側へ後退させて格納位置（図９（ｂ）中、中心線Ｘの左側、二点鎖線）に配置するとともに、プロセニアム桁部８を上昇させて格納位置（図９（ｂ）中、中心線Ｘの左側、破線）に配置する。
【０１３４】
このように、多目的ホールで演奏会が行われる場合には、音響反射板を舞台上に設置しているので、所望の音響反射効果を得られる。また、プロセニアムウイング６を最大限に後退させて、間口Ｆから離した位置に配置できるので、プロセニアムウイング６と音響反射板との干渉を避けられる。
【０１３５】
その一方、多目的ホールで演劇が行われる場合には、第一の実施の形態と同様に、音響反射板を格納する。さらに、多目的ホールで演劇が行われる場合であって、間口Ｆを広くした状態で舞台１を使用する場合には、プロセニアム桁部８を格納位置に配置するとともに、上手側と下手側のプロセニアムウイング６，６を格納位置から一段階前進させた照明使用位置に配置する（図９（ｂ）中、中心線Ｘの左側）。
【０１３６】
また、多目的ホールで演劇が行われる場合であって、間口Ｆを狭くした状態で舞台１を使用する場合には、プロセニアム桁部８を格納位置から下降させて使用位置に配置するとともに、上手側と下手側のプロセニアムウイング６，６を照明使用位置からさらに前進させた使用位置へ移動させる（図９（ｂ）中、中心線Ｘの右側）。
【０１３７】
つまり、本実施の形態では、多目的ホールを演奏会に適した演奏会形式にしたり、演劇に適した演劇形式にしたりできる。そして、多目的ホールを演奏会形式にした場合には、音響反射板を設置して当該音響反射板による音響反射効果を得られる。
【０１３８】
また、多目的ホールを演劇に適した演劇形式にした場合には、プロセニアムウイング６を前進させて間口Ｆの明るさを確保できる。さらに、間口調整装置Ｍで間口Ｆの大きさを調整できるとともに、当該間口Ｆの大きさによらず当該間口Ｆに近い位置に照明器具Ｌが配置されるので、間口Ｆの明るさを常に確保できる。
【０１３９】
また、多目的ホールを演奏会形式と演劇形式とで切換える場合にも、音響反射板の邪魔にならない格納位置にプロセニアムウイング６及びプロセニアム桁部８を配置できる。よって、演奏会形式において良好な音響反射効果を得るため、音響反射板を間口に近づけて配置したとしても、当該音響反射板を設置したり格納したりする際に間口調整装置Ｍが邪魔にならない。
【０１４０】
つづいて、本実施の形態の間口照明移動装置であるプロセニアムウイング移動装置Ｍｗ、及び当該プロセニアムウイング移動装置Ｍｗを備えた間口調整装置Ｍの作用効果について説明する。
【０１４１】
本実施の形態において、間口調整装置Ｍは、舞台１の間口Ｆの幅を変更するプロセニアムウイング移動装置Ｍｗと、間口Ｆの高さを変更するプロセニアム桁部昇降装置Ｍｐとを備える。さらに、当該プロセニアム桁部昇降装置Ｍｐが間口Ｆの高さを制限可能なプロセニアム桁部８を有する。そして、当該プロセニアム桁部８には、プロセニアムウイング６の進入を許容する収納部８ａが形成されている。
【０１４２】
上記構成によれば、プロセニアムウイング６がプロセニアム桁部８の収納部８ａに進入できる。よって、間口調整装置Ｍ全体としての奥行方向の厚みを薄くできるとともに、客席から見たときのプロセニアムウイング６とプロセニアム桁部８の一体感が向上する。
【０１４３】
さらに、本実施の形態において、収納部８ａは、プロセニアム桁部８の舞台奥側であって間口方向の両端部に形成された窪みにより形成されており、上下、舞台奥側、及び袖側に開口する。しかし、収納部８ａの構成は、適宜変更が可能である。例えば、収納部８ａにおける舞台奥側の開口が閉じられていてもよい。
【０１４４】
また、本実施の形態において、プロセニアム桁部８の下端部には、当該プロセニアム桁部８に対して舞台１の間口方向へスライドし、収納部８ａの下端開口を開閉するスライドパネル８０が取り付けられている。そして、スライドパネル８０は、収納部８ａの下端開口を閉じる方向へ附勢されている。
【０１４５】
上記構成によれば、プロセニアムウイング６が退出するのに伴い、収納部８ａの下側開口をスライドパネル８０で自動的に閉じられる。よって、収納部８ａの下端開口を通じて、客席からプロセニアム桁部８の内部が見えるのを確実に防止できる。
【０１４６】
なお、スライドパネル８０を附勢するための構成は、適宜変更できる。また、スライドパネル８０を手動又は電動で閉じてもよく、この場合には、スライドパネル８０が閉じ方向へ附勢されていなくてもよい。さらに、プロセニアムウイング６をプロセニアム桁部８の舞台奥側端よりもさらに奥側に配置してもよく、この場合には収納部８ａを廃止できる。
【０１４７】
また、本実施の形態では、照明器具Ｌを取り付け可能な躯体部（照明取付用フレーム）６０と、躯体部６０の舞台手前側面を覆うサイドパネル６１とを有して舞台１の間口Ｆの幅を制限可能なプロセニアムウイング６が構成されている。このため、当該プロセニアムウイング６を駆動装置５Ａで間口方向へ駆動すると、間口Ｆの幅を変更できる。
【０１４８】
つまり、上記構成によれば、間口Ｆを照らす照明器具Ｌを移動する間口照明移動装置がプロセニアムウイング移動装置としても機能する。そして、当該プロセニアムウイング移動装置Ｍｗにより間口Ｆの幅を変更できる。さらに、本実施の形態では、プロセニアム桁部昇降装置Ｍｐで間口Ｆの高さも変更できる。よって、多目的ホールをより多くのニーズに対応させられる。
【０１４９】
また、本実施の形態において、プロセニアムウイング移動装置Ｍｗは、躯体部（照明取付用フレーム）６０を含むプロセニアムウイング６を舞台１の間口方向へ移動可能にする走行装置３Ａを備え、プロセニアムウイング６が走行装置３Ａに吊り下げられた状態で設置されている。そして、走行装置３Ａは、間口Ｆを形成するための開口が形成された固定壁（壁部）Ｗに固定されたレール３９と、レール３９を走行する二つのトロリ３７，３８とを有する。このため、プロセニアムウイング６を走行装置３Ａに吊り下げた状態で間口方向へ移動させるのが容易である。
【０１５０】
さらに、一方のトロリ３８が駆動装置５Ａにより駆動される駆動輪（図示せず）を有し、駆動装置５Ａがハンドホイール５９と、ハンドホイール５９の回転を減速して駆動輪に伝達する減速機（図示せず）と、ハンドホイール５９に巻掛けられたハンドチェーン５９ａとを有する。このように、駆動装置５Ａが減速機を有しているので、プロセニアムウイング６を含む可動部の重量が重くても、ハンドチェーン５９ａを利用したハンドホイール５９の回転操作を軽くでき、作業負荷が軽減される。
【０１５１】
また、上記構成によれば、駆動装置５Ａの推力が走行装置３Ａに直接作用するので、上記推力が走行装置３Ａに効率よく伝達される。このことからも、ハンドホイール５９の回転操作を軽くでき、作業負荷が軽減される。さらに、駆動装置５Ａにおいて推力を走行装置３Ａへ伝える推力伝達部がプロセニアムウイング６の躯体部６０の上部に設けられているので、プロセニアムウイング６でスライドパネル８０を押し開く際、当該スライドパネル８０へ効率よく力を伝達できる。
【０１５２】
なお、走行装置３Ａ及び駆動装置５Ａの構成は、適宜変更できる。例えば、本実施の形態では、走行装置３Ａが二つのトロリ３７，３８を有しているが、当該トロリの数は適宜変更可能であり、少なくとも一つのトロリに駆動装置が取り付けられていればよい。
【０１５３】
また、本実施の形態のように、間口照明移動装置がプロセニアムウイング移動装置である場合であっても、第一の実施の形態のトーメンタルタワー装置Ａのように、舞台１でプロセニアムウイング６の荷重を受ける構造にしてもよい。同様に、間口照明移動装置がトーメンタルタワー装置である場合であっても、本実施の形態のプロセニアムウイング移動装置Ｍｗのように、トーメンタルタワーを走行装置に吊り下げて移動してもよい。
【０１５４】
また、本実施の形態では、プロセニアムウイング６の躯体部６０の下端に取り付けられたガイドシュー７０と、舞台１の間口方向に沿って配置されてガイドシュー７０を摺動自在に挟み、ガイドシュー７０の間口方向への移動を許容するガイドレール７１とを備える。当該構成によれば、プロセニアムウイング６が吊り下げた状態に設置される場合であって、プロセニアムウイング６が上下に長い場合であっても、プロセニアムウイング６の下側が奥行方向に揺れるのを抑制できる。よって、プロセニアムウイング６を安定して走行させられる。
【０１５５】
さらに、プロセニアムウイング６の重量を支えているのは主に走行装置３Ａであって、ガイドレール７１にかかる荷重が小さいので、ガイドレール７１を小型にできる。また、ガイドシュー７０が板状であって肉厚が薄いので、ガイドレール７１におけるガイドシュー７０が挿入される隙間（本実施の形態においては、板状部材７１ａ，７１ｂの間に形成される隙間）が狭い。よって、ガイドレール７１を舞台１に埋め込んだ状態に設置した場合（図１０，１１）、ガイドレール７１の隙間を塞がなくても、演者、作業者等の通行の妨げにならない。
【０１５６】
また、本実施の形態では、ガイドレール７１が一対の板状部材７１ａ，７１ｂを有して構成されており、これら板状部材７１ａ，７１ｂの間にガイドシュー７０が挿入されている。よって、振止装置７の構成が簡易であるが、当該振止装置の構成は適宜変更できる。
【０１５７】
例えば、ガイドシュー７０の位置及び数を適宜変更できるのは勿論、第一の実施の形態における倒れ防止装置４のように、ローラ等を振止装置として利用してもよい。そして、このような変更は、間口照明移動装置がトーメンタルタワー装置である場合にも可能である。
【０１５８】
また、本実施の形態では、プロセニアムウイング移動装置（間口照明移動装置）Ｍｗが舞台１の袖Ｓ１，Ｓ２に設置されて照明器具Ｌを取り付け可能な躯体部（照明取付用フレーム）６０を含むプロセニアムウイング６と、プロセニアムウイング６を舞台１の間口方向へ移動させる駆動装置５Ａとを備えている。
【０１５９】
このため、プロセニアムウイング６が多目的ホールに利用される場合において、音響反射板等の他の舞台装置の設置、及び移動の妨げにならない位置にプロセニアムウイング６を移動できる。加えて、照明器具Ｌを利用する場合には、プロセニアムウイング６を舞台側へ移動して照明器具Ｌを間口に近い位置に配置できる。よって、照明取付用フレームである躯体部６０を含むプロセニアムウイング６を多目的ホールに利用して、躯体部６０に取り付けた照明器具Ｌで間口Ｆを照らす場合であっても、間口Ｆの明るさを容易に確保できる。
【０１６０】
以上、本発明の好ましい実施の形態を詳細に説明したが、特許請求の範囲から逸脱しない限り、改造、変形、及び変更が可能である。
【符号の説明】
【０１６１】
Ａ・・・トーメンタルタワー装置（間口照明移動装置）、Ｆ・・・間口、Ｍ・・・間口調整装置、Ｍｐ・・・プロセニアム桁部昇降装置、Ｍｗ・・・プロセニアムウイング移動装置（間口照明移動装置）、Ｓ１，Ｓ２・・・袖、Ｗ・・・固定壁（壁部）、１・・・舞台、２・・・トーメンタルタワー（照明取付用フレーム）、３Ａ・・・走行装置、５，５Ａ・・・駆動装置、６・・・プロセニアムウイング、８・・・プロセニアム桁部、８ａ・・・収納部、２２・・・見切幕、２２ｂ・・・着脱幕（見切幕において開閉可能な部分）、３１，３２・・・リニアガイド、３７，３８・・・トロリ、３９・・・レール、４１・・・レール、４０・・・ローラ、５０・・・ハンドル、５１・・・ピニオン、５２・・・ラック、５５・・・ウォームギヤ（減速機）、５９・・・ハンドホイール、５９ａ・・・ハンドチェーン、６０・・・躯体部（照明取付用フレーム）、６１・・・サイドパネル、７０・・・ガイドシュー、７１・・・ガイドレール
【図１】
2018078088.tif 000003
【図２】
2018078088.tif 000004
【図３】
2018078088.tif 000005
【図４】
2018078088.tif 000006
【図５】
2018078088.tif 000007
【図６】
2018078088.tif 000008
【図７】
2018078088.tif 000009
【図８】
2018078088.tif 000010
【図９】
2018078088.tif 000011
【図１０】
2018078088.tif 000012
【図１１】
2018078088.tif 000013
【図１２】
2018078088.tif 000014